(57)【要約】【課題】筋肉の伸縮度の維持と肌細胞の新陳代謝とを実現しうる生体刺激装置および生体の美容方法を提供する。【解決手段】生体刺激装置Ａは、生体刺激装置Ａは、生体の皮膚を、温熱（あるいは、温熱および電気）により刺激する主刺激部材である温熱ピック３２ｂと、温熱ピック３２ｂにより刺激される，少なくとも温覚が存在する部位を教示する教示部材４０と、温熱ピック３２ｂに、パルス状電力を供給する電力供給部材である本体部１０とを備えている。温熱ピック３２ｂが取り付けられた温熱部品３２と、電力供給部材である本体部１０とが１つの温熱セット３０となっている。教示部材４０は、人体の顔面に存在する温覚，痛覚，圧覚が存在する被刺激部位を，顔面と共に表示した被刺激部位表示図Ｐｃを含む印刷物または記録媒体である。【選択図】図３
2011078633.tif 000002
【特許請求の範囲】
【請求項１】
生体の皮膚を、温熱、あるいは、温熱および電気により刺激する、導体からなる主刺激部材と、
上記主刺激部材により刺激されるべき被刺激部位を教示する教示部材と、
上記主刺激部材を、瞬間的に所定温度に加熱する電力供給部材と、
を備えている生体刺激装置。
【請求項２】
請求項１記載の生体刺激装置において、
上記教示部材は、顔面の被刺激部位の位置を表示した図を内容とする印刷物，または記録媒体である、生体刺激装置。
【請求項３】
請求項１又は２記載の生体刺激装置において、
上記教示部材は、顔面の被刺激部位に相当する位置に開口を設けた顔面カバーである、生体刺激装置。
【請求項４】
請求項１〜３のうちいずれか１つに記載の生体刺激装置において、
上記主刺激部材は、温熱による刺激機能のみを有しており、
少なくとも側部で顔面を電気により刺激する棒状又は筒状の電気刺激部材をさらに備え、
上記電力供給部材は、上記電気刺激部材に電圧を印加する、生体刺激装置。
【請求項５】
請求項４記載の生体刺激装置において、
上記電気刺激部材および上記主刺激部材は、いずれも上記電力供給部材のケーシングに着脱自在に取りつけられている、生体刺激装置。
【請求項６】
請求項４又は５記載の生体刺激装置において、
上記電力供給部材のケーシングは導体からなり、棒状又は筒状の電気刺激部材から人体を経て，上記電力供給部材のケーシングに電気が流れるように構成されている、生体刺激装置。
【請求項７】
請求項１〜６のうちいずれか１つに記載の生体刺激装置を用いた生体の美容方法であって、
上記主刺激部材を生体の皮膚に接触させた状態で、上記電力供給部材から主刺激部材に瞬間的に電力を供給する、生体の美容方法。
【発明の詳細な説明】
【技術分野】
【０００１】
本発明は、温熱刺激により美顔処理などを行う生体刺激装置およびこれを用いた生体の美容方法に関するものである。
【背景技術】
【０００２】
従来より、美容整形外科などのリフトアップ手術では、伸びてたるんだ筋肉を切除し、引き上げることが行われているが、時間の経過とともにたるみが再現し、何度かこの手術を受けると、顔面の筋肉に遊びがなくなり、表情が引きつるおそれがある。
また、フェザー状の異物などを皮下に埋め込んで皮膚を引き上げる方法もあるが、手術痕が残るおそれがある。
【０００３】
そこで、特許文献１の顔面しわ取り装置では、顔面の繊維組織に沿って、熱，電気などのエネルギー刺激を与えて、組織を溶解除去することにより、しわを除去しようとしている。エネルギー刺激としては、多色光，単色光，レーザー光，高周波電気エネルギー，超音波エネルギー，マイクロ波エネルギー，熱エネルギーなどが用いられる。
特許文献２の生体刺激装置では、１対のパルス伝達端子から生体の皮膚および筋肉組織に低周波刺激を与えることにより、筋肉運動と新陳代謝とを行わせようとしている。
【先行技術文献】
【特許文献】
【０００４】
【特許文献１】特表２００３−５２３７９９号公報
【特許文献２】特開平１１−０８９９４５号公報
【発明の概要】
【発明が解決しようとする課題】
【０００５】
しかしながら、上記特許文献１の技術では、医師が組織を除去することを前提としており（同公報の段落［００１３］参照）、ユーザが自宅で簡便に行えるものではない。また、組織を溶解除去することで、生体への悪影響も懸念される。
【０００６】
一方、特許文献２の技術では、繊細な顔面の筋肉が、低周波刺激を受けると、強い刺激を感じ、肌表面で電力が減衰することが多い。そのために、ピリピリとした感覚はあっても、筋肉内部への低周波刺激効果が皮膚の表面部分で減衰し、低周波刺激だけでは、必ずしも十分な美顔効果が得られないおそれがある。
【０００７】
本発明の目的は、上述のような不具合を回避しつつ、筋肉の伸縮度の維持と肌細胞の新陳代謝とを実現しうる生体刺激装置およびこれを用いた生体の美容方法を提供することにある。
【課題を解決するための手段】
【０００８】
本発明の生体刺激装置は、生体の皮膚を、温熱、あるいは、温熱および電気により刺激する主刺激部材と、主刺激部材により刺激されるべき被刺激部位を教示する教示部材と、主刺激部材を、瞬間的に所定温度に加熱する電力供給部材とを設けたものである。
本発明の生体は、一般的には人体であるが、犬，猫などの動物であってもよい。
「温熱、あるいは、温熱および電気により刺激する」とは、温熱による刺激だけでもよいし、温熱による刺激と電気による刺激とを併せてもよい意味である。
被刺激部位は、温覚，圧覚，痛覚などが存在する、いわゆるツボであるが、その具体的な位置は長年の経験によって得られる。
教示部材としては、印刷物や、ＣＤ，ＤＶＤなどの記録媒体の他、後述する顔面マスクなどがある。
【０００９】
この生体刺激装置により、以下の作用効果が得られる。
本発明の主刺激部材は、筋肉自体に低周波電流を流して効果を出すのではなく、顔面末梢神経に、温熱ポイント刺激（たとえば、５０℃，1秒間）を加えていく。
これにより、以下のような作用効果が得られる。
主刺激部材による最小限の刺激（温熱ポイント刺激）により、筋肉の作動を制御している神経のレベル、つまり筋肉よりも上位の神経レベルでの刺激を受けることで、ユーザの脳からの指令により筋肉の伸張性を回復させるものである。
【００１０】
一般的に、余分なたるみ（たとえば眼の下のたるみなど）は、特に筋肉の緩みにより起こるものであり、筋肉の緩みの部位に、余分な老廃物とともに脂肪が蓄積されて、たるみとなって出現する。
本発明では、筋肉が伸縮能力や弾性を取り戻すため、筋肉が持ち上がりハリがでて、引き締まる。このように筋肉が弾力を取り戻し、頬筋，眼輪筋，口輪筋などが引き締まり、持ち上がる結果、たるみが改善されるのである。そして、外科手術のような手術痕が残る不具合や、低周波刺激を与えるもののようなバック電流による副作用も生じることがない。
【００１１】
さらに、主刺激部材による被刺激部位への刺激によって、自律神経機能も調整されるため、浮腫や血流の改善にも効果を表し、肌機能も改善される。
以上のように、本発明の生体刺激装置を用いて、人や動物に温熱刺激を与えることにより、大きな健康維持効果と美容効果とが得られる。
また、本発明の効果は、１０代から９０歳代に至るまで、年齢層に関係なく、得られることが確認された。
【００１２】
そして、本発明の生体刺激装置では、教示部材の教示内容にしたがって、ユーザが適切な被刺激部位に主刺激部材を当てることができるので、ほとんど専門知識のないユーザでも、上述の効果を享受することができる。すなわち、従来、専門の施設での施術しか行えなかった美顔術などの施術を、ユーザが家庭で手軽に行うことができる。
特に、電力供給手段によって、主刺激部材が加熱された時の所定温度と、所定温度になる時間とが一律に制御されるため、だれが実施しても、ほぼ確実に上記作用効果が得られる。
【００１３】
また、老廃物や余分な脂肪は本発明の装置の効果により燃焼排出される。特に、ホウレイ線、目の下のたるみなども、従来では整形手術しか、確実な改善方法はないと考えられていたが、本発明者のたゆまない研究と実験の結果、眼の下のたるみ、ふくらみなどを減少させる（フラットにする）という改善効果が確認された。
【００１４】
電力供給部材による電力の供給方法としては、たとえば、電源供給手段から一定の短時間の間電力を供給することによって、主刺激部材が自動的にこの温度になり、1秒間で降温するように、というような過程を、１回だけ行うか、あるいはパルス状電力の供給などによって複数回くりかえすようにする。
【００１５】
教示部材としては、顔面の被刺激部位の位置を表示した顔面の図を内容とする印刷物または記録媒体や、顔面の被刺激部位に相当する位置に開口を設けた顔面カバーがある。
特に、顔面の被刺激部位に穴を設けた顔面カバーを備えている場合、確実に被刺激部位に主刺激部材を押し当てることができるとともに、ユーザが使用していくうちに被刺激部位の位置を学習することで、何回か使用すると、顔面カバーなしでも正確に被刺激部位に主刺激部材を押し当てることが可能となる。
【００１６】
リンパ・ドレナージュ（以下、単に「ドレナージュ」と略記する）を行うための少なくとも側部で顔面を電気により刺激する棒状又は筒状の電気刺激部材をさらに備えることにより、たとえば顔面のドレナージュが可能となる。
従来、マッサージで行われていたドレナージュ（リンパ・ドレナージュ）では、過度の刺激が肌に負担をかけ、炎症を生じさせて、ついには色素沈着を起こす問題があった。
それに対し、棒状又は筒状の電気刺激部材を用いて、微弱電流を皮膚に流しつつ行うことで、以下の作用効果が得られる。
棒状又は筒状の電気刺激部材から皮膚に生体微弱電流を流しながら、リンパの流れを促すドレナージュをすることで、細胞内のナトリウムポンプの働きを活性化させ、細胞内の余分な水分を細胞外に排出することができる。これにより、むくみを解消させるとともに、電解質の作用により細胞内の新陳代謝を促進しつつ、老廃物の排出を行うことで、肌色を改善することが可能となる。また、プラスイオンが毛穴を引き締めるため、見た目にも肌のきめが整い肌質が改善される。
【００１７】
さらに効果的なことは、静脈リンパの流れを棒状又は筒状の電気刺激部材で簡単にドレナージュできることである。今までは、場合によってはリンパの流れを追えないなどの技術的な問題があったが、本発明の装置は、一度の動作で施術した範囲はもれなく流れをつかむことができるため、素人の施術によっても容易にドレナージュ効果を得ることができる。
【００１８】
また、微弱電流の作用により細胞レベルで代謝を活発にして老廃物を排出しやすくしたうえで、老廃物や余分な水分までも確実に静脈に帰すことによる効果を最大限まで向上させることができる。また、電気刺激を用いることで、マッサージとは異なり、熟練しなくても簡単な行程でだれでも簡単に効果を得ることができる。また、正確なリンパ・ドレナージュだけではなく、微弱電流の作用によって、より少ない刺激で安全にかつ細胞には効果的な代謝を促せるものである。
【００１９】
棒状又は筒状の電気刺激部材および主刺激部材は、いずれも電力供給部材のケーシングに着脱自在に取りつけられていることにより、上述のドレナージュによる効果と、温熱刺激による効果とを簡単に得ることができる。
【００２０】
電力供給部材のケーシングが導体からなり、棒状又は筒状の電気刺激部材から人体を経て電力供給部材のケーシングに電気が流れるように構成されていることで、簡素な構成で皮膚に電流を流すことができる。
【発明の効果】
【００２１】
本発明によると、副作用などの不具合を回避しつつ、筋肉の伸縮度の維持と肌細胞の新陳代謝とを実現しうる生体刺激装置およびこれを用いた生体の美容方法が得られる。
【図面の簡単な説明】
【００２２】
【図１】本発明の実施形態１に係る生体刺激装置Ａの上面図である。
【図２】（ａ）〜（ｄ）は、本体部に取りつける各種交換部材を示す平面図である。
【図３】温熱ピックを備えた生体刺激装置Ａの構成を示す平面図である。
【図４】本体部（電力供給部材）から温熱ピックに供給されるパルス状電力と温熱ピックの温度との関係を示す図である。
【図５】教示部材の別例である顔面マスクを示す平面図である。
【図６】業務用生体刺激装置の制御部の構成を示す平面図である。
【図７】実施の形態２におけるドレナージュの経路を示す図である。
【発明を実施するための形態】
【００２３】
（実施の形態１）
図１（ａ），（ｂ）は、順に、本発明の実施形態１に係る生体刺激装置の本体部１０（電力供給部材）の上面図および側面図である。
生体刺激装置の本体部１０は、リチウム二次電池を内蔵した充電式電源１１と、制御用のスイッチシート１２とを備えている。また、端部には、各種交換部材を着脱自在に取りつけるための取り付け部１３が設けられている。
電力供給部材１０のケーシング１０ａは、金属板に導電性シリコーンゴム膜をコーティングして構成された導体である。
【００２４】
スイッチシート１２には、電源をオン・オフするためのメインスイッチ２１と、後述する温熱ピックを加熱するための温熱スイッチ２２と、後述するコームやバーに電流を流すための電流スイッチ２３と、後述するイオンバーにイオンを供給するためのイオンスイッチ２４と、イオンバーに供給するイオンのプラス・マイナスを切り替えるための正負切替スイッチ２５と、出力切替スイッチ２６とが設けられている。
【００２５】
図２（ａ）〜（ｄ）は、上記本体部１０に取りつける各種交換部材を示す平面図である。
図２（ａ）は、イオン刺激部品３１を示している。イオン刺激部品３１は、上記本体部１０の取り付け部１３に係合する基部３１ａと、基部３１ａから延びるイオンバー３１ｂとを備えている。そして、本体部１０の正負切替スイッチ２５により、プラス・マイナスを選択して、イオンバー３１ｂから人体等の一部にイオンが供給される。
【００２６】
図２（ｂ）は、温熱用部品３２を示している。温熱用部品３２は、上記本体部１０の取り付け部１３に係合する基部３２ａと、基部３２ａの一部から突出する温熱ピック３２ｂ（温熱刺激部材）とを備えている。そして、本体部１０の温熱スイッチ２２をオンすると、温熱ピック３２ｂが加熱され、温熱ピック３２ｂにより、人体等の一部が加熱される。
【００２７】
図２（ｃ）は、ドレナージュ用部品３３を示している。ドレナージュ用部材３３は、上記本体部１０の取り付け部１３に係合する基部３３ａと、基部３３ａの一部から延びる板状のバー３３ｂ（電気刺激部材）とを備えている。そして、本体部１０の電流スイッチ２３をオンすると、バー３３ｂに電圧が印加され、本体部１０を握りながら、バー３３ｂを人体等の一部に接触させると、バー３３ｂから人体等を経て本体部１０のケーシング１０ａまで電流が流れ、これにより、人体等の一部が電気刺激される。
【００２８】
図２（ｄ）は、コーム部品３４を示している。コーム部材３４は、上記本体部１０の取り付け部１３に係合する基部３４ａと、基部３４ａの一部から延びるコーム３４ｂ（電気刺激部材）と、コーム３４ｃから延びる櫛歯３４ｃ（突起）とを備えている。そして、本体部１０の電流スイッチ２３をオンすると、櫛歯３４ｃに電圧が印加され、本体部１０を握りながら、櫛歯３４ｃを人体等の一部に接触させると、櫛歯３４ｃから人体等を経て本体部１０のケーシング１０ａまで電流が流れ、これにより、人体等の一部が電気刺激される。コーム３４ｂに代えて、ブラシ毛（突起）を有するブラシを設けてもよい。
なお、温熱ピック３２ｂ，およびバー３３ｂは，金属（たとえばＳＵＳ材）の上に導電性シリコーンをコーティングして構成されている。
【００２９】
図３は、生体刺激装置Ａの構成を示す平面図である。生体刺激装置Ａは、生体の皮膚を、温熱（あるいは、温熱および電気）により刺激する温熱刺激部材（主刺激部材）である温熱ピック３２ｂと、温熱ピック３２ｂにより刺激される被刺激部位を教示する教示部材４０と、温熱ピック３２ｂに、パルス状電力を供給する電力供給部材である本体部１０とを備えている。
本実施の形態では、温熱刺激部材である温熱ピック３２ｂが取り付けられた温熱部品３２の基部３２ａと、電力供給部材である本体部１０の取り付け部１３とが係合して、全体として１つの温熱セット３０となっている。
ただし、温熱刺激部材と電力供給部材が、必ずしも一体化されている必要はない。
【００３０】
教示部材４０は、人体の顔面に存在する温覚，痛覚，圧覚が存在する被刺激部位を，顔面と共に表示した被刺激部位表示図Ｐｃを含む印刷物または記録媒体である。すなわち、図Ｐｃは、紙面に印刷されたものであってもよいし、ＣＤ，ＤＶＤ，ハードメモリ，ＢＤ等の記録媒体に格納されたデータであってもよい。記録媒体に格納されている場合は、ユーザが自宅のパソコンのディスプレイ上に被刺激部位表示図Ｐｃを表示すればよい。
【００３１】
被刺激部位表示図Ｐｃに示すように、温熱刺激部位Ｐｔは、第１〜第６温熱刺激ラインＳｔ１〜Ｓｔ６上に並んでいる。これらの各温熱刺激部位Ｐｔに、温熱ピック３２ｂを順次押し当てて、温熱刺激を加えていけばよい。図３中の被刺激部位表示図Ｐｃには、顔面の左側の温熱刺激部位Ｐｔのみが表示されているが、実際の被刺激部位表示図Ｐｃには、顔面の右側にもこれらと対象位置に、温熱刺激部位Ｐｔが表示されていてもよい。ただし、顔面の右側又は左側の一方の温熱刺激部位Ｐｔだけでも表示されていれば、ユーザがもう一方の温熱刺激部位Ｐｔを知ることは簡単である。
【００３２】
図４は、本体部１０（電力供給部材）から温熱ピック３２ｂに供給されるパルス状電力と温熱ピック３２ｂ（皮膚）の温度との関係を示す図である。同図に示すように、皮膚に温熱ピック３４ｂを接触させた状態で、瞬間的に電力が供給されると、温熱ピック３２ｂおよび皮膚は，瞬間的に（たとえば１秒程度）所定温度（たとえば５０℃程度）に加熱される。
１つの温熱刺激部位Ｐｔに１回だけ温熱刺激を加えるだけでもよいし、図４に示すパルス状電力を複数回供給することにより、１つの温熱刺激部位Ｐｔに複数回の温熱刺激を加えてもよい。
電力を供給する一定時間は、温熱ピック３２ｂが瞬間的な短時間（たとえば１秒程度）の間、適切な温度（たとえば５０℃）に加熱されるように、設定される。
【００３３】
本実施の形態では、以下のような効果が得られる。
温熱ピック３２ｂ（主刺激部材）による最小限の刺激（温熱ポイント刺激）により、筋肉の作動を制御している神経のレベル、つまり筋肉よりも上位の神経レベルでの刺激を受けることで、ユーザの脳からの指令により筋肉の伸張性を回復させる。つまり、筋肉のハリを回復させるものである。
一般的に、余分なたるみ（たとえば眼の下のたるみ）などは、特に筋肉の緩みにより起こるものであり、筋肉の緩みの部位に、余分な老廃物とともに脂肪が蓄積されて、たるみとなって出現する。
本実施の形態では、筋肉が伸縮能力や弾性を取り戻すため、筋肉が持ち上がりハリがでて、引き締まる。このように筋肉が弾力を取り戻し、頬筋や眼輪筋などが持ち上がる結果、たるみが改善されるのである。そして、外科手術のような手術痕が残る不具合や、低周波刺激を与えるもののようなバック電流による副作用も生じることがない。
さらに、温熱ピック３２ｂ（主刺激部材）による温熱刺激部位Ｐｔへの温熱刺激によって、自律神経機能も調整されるため、浮腫や血流の改善にも効果を表し、肌機能も改善される。
また、上述の効果は、１０代から９０歳代に至るまで、年齢層に関係なく、得られることが確認された。
【００３４】
そして、本発明の生体刺激装置では、教示部材４０の教示内容にしたがって、ユーザが第１〜第６温熱刺激ラインＳｔ１〜Ｓｔ６に沿った各温熱刺激部位Ｐｔに、順次温熱ピック３２ｂを押し当てていけばよい。このように、ユーザが自宅で自分自身による施術によって、適切な温熱刺激部位Ｐｔに温熱ピック３２ｂ（主刺激部材）を当てることができるので、ほとんど専門知識のないユーザでも、上述の効果を享受することができる。すなわち、従来、専門の施設での施術しか行えなかった美顔術などの施術を、ユーザが家庭で手軽に行うことができる。
特に、本体部１０（電力供給手段）によって、温熱ピック３２ｂが加熱された時の所定温度と、所定温度になる時間とが一律に制御されるため、だれが実施しても、ほぼ確実に上記作用効果が得られる。
【００３５】
−教示部材の別例−
図５は、教示部材４０の別例である顔面マスクＭｓを示す平面図である。顔面マスクＭｓには、図３に示す温熱刺激部位Ｐｔに相当する位置に開口４２を設けている。顔面マスクＭｓのサイズは、顔の長さの長短、幅の広狭に応じて分類したものを各種準備しておいてもよいし、ユーザの顔面を型どりして個別に作成してもよい。
顔面マスクＭｓを利用する場合、ユーザは、顔面マスクＭｓの開口４２内の温熱刺激部位Ｐｔに温熱ピック３２ｂを押し当てて行けばよい。すなわち、この別例では、ユーザが温熱刺激部位Ｐｔの位置を顔面の図から推測して判断する必要がまったくないので、正確な温熱刺激部位Ｐｔに、きわめて簡単に温熱刺激を加えることができる。
また、ユーザが何度も温熱刺激を繰り返すうちに、温熱刺激部位Ｐｔの正確な位置を自分の皮膚の感覚で把握することも可能である。この学習効果により、顔面マスクＭｓを使用しなくても、正確な温熱刺激部位Ｐｔに温熱ピック３２ｂを押し当てることが可能となる。
なお、上記実施の形態では、温熱ピック３２ｂを用いて、温熱刺激のみを行うようにしたが、それと共に、温熱ピック３２ｂを用いて電流刺激を行うようにしてもよい。その場合、周知慣用の手段により、電気回路の構成を変更して、温熱ピック３２ｂを加熱するモードと、温熱ピック３２ｂから人体を経て本体部１０のケーシング１０ａに微弱電流が流れるモードとに切り換えうるようにすればよい。
【００３６】
−電力供給部材の別例−
図６は、業務用生体刺激装置５０の制御部５１の構成を示す図である。制御パネル５１は、図示されていない筐体の前面に設けられている。
制御部５１には、全体の電源をオン・オフする電源スイッチ５２と、温熱制御部５３と、電力制御部６０とが配置され、内蔵されているスピーカ音を聞き取りやすくするための開口５８が設けられている。
なお、皮膚に作用させる刺激部材である、イオンバー３１ｂ，温熱ピック３２ｂ，バー３３ｂ，コーム３４ｂの構造は、基本的には、図２（ａ）〜（ｄ）に示す通りであり、施術者が操作しやすい形状にアレンジされれている。その形状としては、周知慣用のものを採用することができる。そして、各刺激部材が制御部５１の各部に電気的に接続されている。
【００３７】
温熱制御部５３は、温熱ピック３２ｂの作動を制御するものであり、温熱ピック３２ｂがオンしている時間を設定するタイマー５４（Timeset）およびその表示ランプと、温熱ピック３２ｂを作動させる出力スイッチ５６（N-shot）およびその表示ランプとを備えている。
【００３８】
電力制御部６０は、イオンバー３１ｂ，バー３３ｂ，コーム３４ｂに供給する電力を制御するものであり、電力モニター６１（PowerMonitor）と、イオンバー３１ｂおよびコーム３４ｂの出力のモードを切り換えるモード切替つまみ６２と、イオンバー３１ｂおよびコーム３４ｂに供給する電力のパルス間隔を調整するためのパルス調節つまみ６３と、イオンバー３１ｂ，バー３３ｂ，およびコーム３４ｂに供給する電力の大小を調整する電力調節つまみ６４とを備えている。
イオンバー３１ｂおよびコーム３４ｂの出力は、モード切替つまみ６２が図中右側にあるときにはプラスになり、左側にあるときにはマイナスになり、中央（Alternate）にあるときにはプラス・マイナスが交互に繰り返される。また、モード切替つまみ６２が図中右側又は左側にあるときには、出力モードを断続モード（Intermittent）と、連続モード（Cntinuation）とに切替えることができる。
断続モードのときには、パルス調節つまみ６３の調整によって、パルス出力の間隔（パルス幅）を長短調節することができる。たとえば、パルス間隔が最長（Long）のときには０．６Ｈｚ程度の周波数に、パルス間隔が最短（Short）のときには１．５Ｈｚ程度の周波数に、調節が可能となっている。また、これらの低周波パルスに、４０００Ｈｚの中周波数のパルスが混合されている。このように調節することで、パルス幅を短くして皮膚の表面を細かく叩くような刺激を与えたり、パルス幅を長くしてストレートな刺激に近づけることが可能となる。
なお、電気刺激を行うときは、制御部５１に接続される電極を被施術者の体の一部（手など）に取り付けることができる。
以上のように、業務用生体刺激装置５０を用いると、上述した各刺激部材の操作をより緻密に行うことができる。
【００３９】
（実施の形態２）
本実施の形態では、電気刺激部材であるバー３３ｂ（図２（ｃ）参照）によるドレナージュの方法について説明する。このドレナージュは、実施の形態１の温熱ピック３２ｂによる温熱刺激と併せて行われる。
本明細書にいう「ドレナージュ」とは、周知の技術であるリンパ・ドレナージュの略語である。ドレナージュは、排泄を意味するので、リンパ・ドレナージュとは、リンパ液の排泄を意味する。周知のリンパ・ドレナージュは、手を用いたマッサージにより行われるが、本発明では、微弱な電流を用いてドレナージュ（リンパ・ドレナージュ）を行う。
【００４０】
図７は、人体の顔面に施すドレナージュの経路を示す図である。温熱ピック３２ｂの温熱刺激部位を表した図と同様に、図７は、紙面に印刷されたものであってもよいし、ＣＤ，ＤＶＤ，ハードメモリ，ＢＤ等の記録媒体に格納されたデータであってもよい。
本実施の形態では、図２（ｃ）に示すバー３３ｂを本体部１０に取り付けて、ドレナージュ（リンパ・ドレナージュ）を行う。バー３３ｂを軽く顔面に接触させると、バー３３ｂから人体を経て本体部１０のケーシング１０ａに微弱電流が流れる。
図７に示す第１〜第６ドレナージュラインＤｌ１〜Ｄｌ６は、バー３３ｂを顔面に軽く当てて移動させる経路および方向を示すものである。ただし、第１ドレナージュラインＤｌ１の３つのラインは、１つずつバー３３ｂを当ててもよいし、３本のラインに跨るように、やや強めにバー３３ｂを当ててもよい。
また、第１〜第６ドレナージュラインＤｌ１〜Ｄｌ６は、左右の対称位置に存在するものである。
【００４１】
従来、マッサージで行われていたドレナージュ（リンパ・ドレナージュ）では、過度の刺激が肌に負担をかけ、炎症を生じさせて、ついには色素沈着を起こす問題があった。
それに対し、バー３３ｂを用いて、微弱電流を皮膚に流しつつ行うことで、以下の作用効果が得られる。
バー３３ｂから皮膚に生体微弱電流を流しながら、ドレナージュをすることで、細胞内のナトリウムポンプの働きを活性化させ、細胞内の余分な水分を細胞外に排出することができる。これにより、むくみを解消させるとともに、電解質の作用により細胞内の新陳代謝を促進しつつ、老廃物の排出を行うことで、肌色を改善することが可能となる。また、プラスイオンが毛穴を引き締めるため、見た目にも肌のきめが整い肌質が改善される。
さらに効果的なことは、静脈リンパの流れをバー３３ｂで簡単にドレナージュできることである。今までは、場合によってはリンパの流れを追えないなどの技術的な問題があったが、本実施の形態の装置では、一度の動作で施術した範囲はもれなく流れをつかむことができるため、素人の施術によっても容易にドレナージュ効果を得ることができる。
また、微弱電流の作用により細胞レベルで代謝を活発にして老廃物を排出しやすくしたうえで、老廃物や余分な水分までも確実に静脈に帰すことによる効果を最大限まで向上させることができる。
【００４２】
また、電気刺激を用いることで、マッサージとは異なり、熟練しなくても簡単な行程でだれでも簡単に効果を得ることができる。また、正確なリンパ・ドレナージュだけではなく、微弱電流の作用によって、より少ない刺激で安全にかつ細胞には効果的な代謝を促せるものである。
特に、図７のデータを印刷物や記録媒体による教示部材としてユーザに提供することで、ユーザが極めて簡単に所望の効果を得ることができる。
また、正確なリンパドレナージュだけではなくマイクロカレントによりより少ない刺激で安全にかつ細胞には効果的な代謝を促せるものである。
【００４３】
（その他の実施の形態）
上記各実施の形態では、人体の顔面に対する温熱刺激，電流刺激について説明したが、本発明は、人体だけでなく、ペットなどの動物にも適用することができる。また、温熱ピック３２ｂによる温熱刺激は、顔面だけでなく、腕、手、指、足、腰など、生体の各部に適用することができる。
【００４４】
上記実施の形態では説明を省略したが、イオンバー３１ｂを用いて、マイナスイオン，プラスイオンを人体等の生体に作用させることで、リラクゼーション，新陳代謝促進等の効果を得ることができる。
【００４５】
上記実施の形態では説明を省略したが、コーム３４ｂを用いた人体の頭皮や動物の皮膚の電気刺激，温熱刺激を行うことができる。たとえば、コーム３４ｂを用いた人体の頭皮のドレナージュ、パルス状電力による電気刺激、温熱ポイント刺激により、上述した顔面に対する刺激と同様の効果（たるみ改善効果など）を得ることができる。図３からわかるように、頭皮の神経は、顔面の神経とつながっているからである。動物では、頭皮に限らず、胴体や手足などの皮膚のドレナージュを行うことができる。コーム３４ｂに代えてブラシを用いてもよい。
多くの毛穴がある人体の頭皮や動物の皮膚は、毛穴に過酸化脂質がたまりやすいために、加齢とともにたるみやすい。そこで、マイクロカレントが毛穴を通って刺激することで、過酸化脂質の蓄積を防ぎ、頭皮のたるみを改善することができる。
【産業上の利用可能性】
【００４６】
本発明は、人体や動物の美容や健康維持のために利用することができる。
【符号の説明】
【００４７】
Ａ    生体刺激装置
１０  本体部（電力供給部材）
１０ａ  ケーシング
１１  充電式電源
１２  スイッチシート
１３  取り付け部
２１  メインスイッチ
２２  温熱スイッチ
２３  電流スイッチ
２４  イオンスイッチ
２５  正負切替スイッチ
２６  出力切替スイッチ
３０  温熱セット
３１  イオン刺激部品
３１ａ  基部
３１ｂ  イオンバー
３２  温熱用部品
３２ａ  基部
３２ｂ  温熱ピック（主刺激部材）
３３  ドレナージュ用部品
３３ａ  基部
３３ｂ  バー（棒状又は筒状の電気刺激部材）
３４  コーム用部品
３４ａ  基部
３４ｂ  コーム
３４ｃ  櫛歯
４０  教示部材
Ｐｃ  被刺激部位表示図
Ｐｔ  被刺激部位
Ｓｔ  温熱刺激ライン
【図１】
2011078633.tif 000003
【図２】
2011078633.tif 000004
【図３】
2011078633.tif 000005
【図４】
2011078633.tif 000006
【図５】
2011078633.tif 000007
【図６】
2011078633.tif 000008
【図７】
2011078633.tif 000009